【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
熱可塑性ポリウレタン又はポリウレタン尿素エラストマー物質のための、式１のブロック共重合体マクロモノマーである共重合体セグメント：
【化１】
2018536050.tif 000001
（式中、
Ａ1は、ヒドロキシル又はアミン基からなる群から場合により選ばれる、エンドキャッピング基であり；
Ａ2は、水素又はエンドキャッピング基であって、ヒドロキシル又はアミン基からなる群から場合により選ばれるエンドキャッピング基であり；
Ｙ1及びＹ2の各々は、独立して、ポリシロキサンマクロジオール、ポリシロキサンマクロジアミン、ポリエーテルマクロジオール、ポリカーボネートマクロジオール、ポリエステルマクロジオール、及びポリ炭化水素マクロジオールから選択され；
Ｌ1及びＬ2の各々は、ウレタン、尿素及びホスホネートから独立して選択された、二価の連結基であり；
ｎは、１〜５の整数であり；
ｔは、０〜５の整数であり；並びに
Ｑは、式Ａ又は式Ｂの部分から選択される：
【化２】
2018536050.tif 000002
（式中、
Ｒ1、Ｒ2、Ｒ3、及びＲ4は、各々独立して、水素、並びに任意に置換された直鎖、分岐した又は環式の、飽和及び不飽和の炭化水素ラジカルから選択され；
Ｒ5及びＲ6は、各々独立して、Ｏ、Ｎ及びＳから独立して選択された１又は複数のヘテロ原子により任意に介在された、直鎖、分岐した又は環式の、飽和及び不飽和の炭化水素ラジカルから選択され；
ｍは、２〜５０の整数である）；又は
【化３】
2018536050.tif 000003
（式中、
Ｘは、ＯＣ（Ｏ）Ｏ、Ｃ（Ｏ）Ｏ及びＯから選択された基であり；
ｑは、１〜５０の整数であり；並びに
ｒは、２〜５０の整数である）
ここで、「場合により置換される」は、酸素、窒素、硫黄、アルキル、アルケニル、アルキニル、アリール、ハロ、ハロアルキル、ハロアルケニル、ハロアルキニル、ハロアリール、ヒドロキシ、アルコキシ、アルケニルオキシ、アルキニルオキシ、アリールオキシ、カルボキシ、ベンジルオキシ、ハロアルコキシ、ハロアルケニルオキシ、ハロアルキニルオキシ、ハロアリールオキシ、ニトロ、ニトロアルキル、ニトロアルケニル、ニトロアルキニル、ニトロアリール、ニトロヘテロシクリル、アジド、アミノ、アルキルアミノ、アルケニルアミノ、アルキニルアミノ、アリールアミノ、ベンジルアミノ、アシル、アルケニルアシル、アルキニルアシル、アリールアシル、アシルアミノ、アシルオキシ、アルデヒド、アルキルスルホニル、アリールスルホニル、アルキルスルホニルアミノ、アリールスルホニルアミノ、アルキルスルホニルオキシ、アリールスルホニルオキシ、ヘテロシクリル、ヘテロシクロキシ、ヘテロシクリルアミノ、ハロヘテロシクリル、アルキルスルフェニル、アリールスルフェニル、カルボアルコキシ、カルボアリールオキシ、メルカプト、アルキルチオ、アリールチオ、及びアシルチオ基から独立して選ばれる１又は複数の置換基で場合により置換されることを意味する）。
【請求項２】
前記ポリエーテルマクロジオールが、ポリ（ヘキサメチレンオキシド）（ＰＨＭＯ）、ポリ（ヘプタメチレンオキシド）、ポリ（オクタメチレンオキシド）（ＰＯＭＯ）及びポリ（デカメチレンオキシド）（ＰＤＭＯ）から選択される、請求項１に記載の共重合体セグメント。
【請求項３】
前記ポリシロキサンマクロジオールが、ポリジメチルシロキサン（ＰＤＭＳ）ジオールである、請求項１に記載の共重合体セグメント。
【請求項４】
前記ポリ炭化水素マクロジオールが、ポリ（イソブチレン）ジオール、ポリ（ブタジエン）ジオール及び水素化されたポリ（ブタジエンジオール）から選択される、請求項１に記載の共重合体セグメント。
【請求項５】
前記Ｙ1及びＹ2が、各々独立して、式Ａ’又は式Ｂ’の部分から選択される、請求項１に記載の共重合体セグメント：
【化４】
2018536050.tif 000004
（式中、
Ｒ7、Ｒ8、Ｒ9、及びＲ10は、各々独立して、水素、並びに任意に置換された直鎖、分岐した又は環式の、飽和及び不飽和の炭化水素ラジカルから選択され；並びに
Ｒ11及びＲ12は、各々独立して、Ｏ、Ｎ及びＳから独立して選択された１又は複数のヘテロ原子により任意に介在された、直鎖、分岐した又は環式の、飽和及び不飽和の炭化水素ラジカルから選択され；
ｕは、１〜５０の整数である）；又は
【化５】
2018536050.tif 000005
（式中、
Ｘ1は、ＯＣ（Ｏ）Ｏ、Ｃ（Ｏ）Ｏ及びＯから選択された基であり；
ｖは、１〜５０の整数であり；及び
ｗは、２〜５０の整数である）。
【請求項６】
前記Ｒ7、Ｒ8、Ｒ9、及びＲ10が、各々メチルであり、並びにＲ11、Ｒ12及びｕが、請求項５に定義されたものである、請求項５の共重合体セグメント。
【請求項７】
前記Ｌ1及びＬ2が同じである、請求項１〜６のいずれか一項に記載の共重合体セグメント。
【請求項８】
前記Ｙ1及びＹ2が同じである、請求項１〜７のいずれか一項に記載の共重合体セグメント。
【請求項９】
前記Ａ1及びＡ2が、各々独立して、ヒドロキシル及びアミンから選択される、請求項１〜８のいずれか一項に記載の共重合体セグメント。
【請求項１０】
前記Ｒ1、Ｒ2、Ｒ3、及びＲ4が、各々メチルであり、並びにＲ5、Ｒ6及びｍが、請求項１に定義されたものである、請求項１〜９のいずれか一項に記載の共重合体セグメント。
【請求項１１】
前記Ｒ5及びＲ6の少なくとも一方が、式Ｄ’の部分から、独立して選択される、請求項１〜１０のいずれか一項に記載の共重合体セグメント：
【化６】
2018536050.tif 000006
（式中、ｃ’は、１〜６の整数であり；及び、ｄ’は、１〜６の整数である。）。
【請求項１２】
前記共重合体セグメントが、式１Ａのブロック共重合体セグメントである、請求項１に記載の共重合体セグメント：
【化７】
2018536050.tif 000007
（式中、Ａ1、Ａ2、Ｙ1、Ｌ1、Ｌ2、Ｙ2、Ｒ1、Ｒ2、Ｒ3、Ｒ4、Ｒ5、Ｒ6、ｍ、ｎ及びｔの各々は、請求項１に定義されたものである）。
【請求項１３】
前記Ｒ1、Ｒ2、Ｒ3、及びＲ4は、各々メチルであり、並びにＲ5、Ｒ6及びｍは、請求項１に定義されたものである、請求項１２に記載の共重合体セグメント。
【請求項１４】
前記共重合体セグメントが、式１Ａ（ｉｉ）のセグメントである、請求項１に記載の共重合体セグメント：
【化８】
2018536050.tif 000008
（式中、Ａ1、Ａ2、Ｌ1、Ｌ2、Ｒ1、Ｒ2、Ｒ3、Ｒ4、Ｒ5、Ｒ6、X、ｍ、ｎ、ｑ、ｒ及びｔの各々は、請求項１に定義されたものである）。
【請求項１５】
前記共重合体セグメントが、式１Ｂのブロック共重合体セグメントである、請求項１に記載の共重合体セグメント：
【化９】
2018536050.tif 000009
（式中、Ａ1、Ａ2、Ｙ1、Ｌ1、Ｌ2、Ｙ2、Ｘ、ｎ、ｒ、ｔ、及びｑの各々は、請求項１に定義されたものである）。
【請求項１６】
前記共重合体セグメントが、式１Ｂ（ｉｉ）のブロック共重合体セグメントである、請求項１に記載の共重合体セグメント：
【化１０】
2018536050.tif 000010
（式中、Ａ1、Ａ2、Ｌ1、Ｌ2、Ｘ、ｎ、ｑ、ｒ及びｔの各々は、請求項１に定義されたものであり、並びにＲ7、Ｒ8、Ｒ9、Ｒ10、Ｒ11、Ｒ12及びｕの各出現は、各々独立して、請求項５に従い定義される）。
【請求項１７】
前記式１の総共重合体セグメントについて分子量範囲が、約４００〜６０００、又は約４００〜４０００、又は約８００〜１６００である、請求項１〜１６のいずれか一項に記載の共重合体セグメント。
【請求項１８】
複数の軟セグメント及び硬セグメントを含む、熱可塑性ポリウレタン又はポリウレタン尿素エラストマー物質であり、ここで複数の軟セグメントが、請求項１〜１７のいずれか一項記載の式１の共重合体セグメントの少なくとも１種及び任意に追加のポリオール又はポリアミンを有するマクロモノマーから各々由来し、ただしポリウレタン又はポリウレタン尿素エラストマー物質が架橋されていない、熱可塑性ポリウレタン又はポリウレタン尿素エラストマー物質。
【請求項１９】
前記複数の軟セグメントが、請求項１〜１７のいずれか一項記載の式１の共重合体セグメントの２種の個別の混合物及び任意に追加のポリオール又はポリアミンから各々由来する、請求項１８に記載の熱可塑性ポリウレタン又はポリウレタン尿素エラストマー物質。
【請求項２０】
下記の反応生成物：
ｉ．  請求項１〜１７のいずれか一項に記載の式１の共重合体セグメントの少なくとも１種；
ｉｉ．  ジイソシアナート；
ｉｉｉ．  １又は複数の鎖延長剤；並びに
ｉｖ．  任意に追加のポリオール又はポリアミン：
を含有、熱可塑性ポリウレタン又はポリウレタン尿素エラストマー物質であって、ただし前記熱可塑性ポリウレタン又はポリウレタン尿素エラストマー物質が架橋されていない、熱可塑性ポリウレタン又はポリウレタン尿素エラストマー物質。
【請求項２１】
前述のｉｉ）に関するジイソシアナートが、４，４’−メチレンジフェニルジイソシアナート（ＭＤＩ）、メチレンビス（シクロヘキシル）ジイソシアナート（Ｈ１２ＭＤＩ）、ｐ−フェニレンジイソシアナート（ｐ−ＰＤＩ）、ｔｒａｎｓ−シクロヘキサン−１，４−ジイソシアナート（ＣＨＤＩ）又はそのｃｉｓ及びｔｒａｎｓ異性体の混合物、１，６−ヘキサメチレンジイソシアナート（ＨＤＩ）、２，４−トルエンジイソシアナート（２，４−ＴＤＩ）もしくはその異性体又はそれらの混合物、ｐ−テトラメチルキシレンジイソシアナート（ｐ−ＴＭＸＤＩ）、イソホロンジイソシアナート、又はｍ−テトラメチルキシレンジイソシアナート（ｍ−ＴＭＸＤＩ）から選択される、請求項２０に記載の熱可塑性ポリウレタン又はポリウレタン尿素エラストマー系物質。
【請求項２２】
前記少なくとも１種の鎖延長剤が、１，４−ブタンジオール、１，６−ヘキサンジオール、１，８−オクタンジオール、１，９−ノナンジオール、１，１０−デカンジオール、１，４−シクロヘキサンジメタノール、ｐ−キシレングリコール、１，４−ビス（２−ヒドロキシエトキシ）ベンゼン、１，１２−ドデカンジオール、１，３−ビス−（４−ヒドロキシブチル）１，１，３，３−テトラメチルジシロキサン、エチレンジアミン、エタノールアミン、ブタンジアミン、プロパンジアミン、１，３−ビス−（３−アミノプロピル）テトラメチルジシロキサン、又は１，３−ビス−（３−アミノブチル）テトラメチルジシロキサンから選択される、請求項２０又は２１に記載の熱可塑性ポリウレタン又はポリウレタン尿素エラストマー系物質。
【請求項２３】
請求項１８〜２４のいずれか一項に記載のポリウレタン又はポリウレタン尿素エラストマー系物質で全体的又は部分的に構成される、製品。
【請求項２４】
前記製品が、人造皮革、靴底、ケーブル外装、ワニス、コーティング、ポンプ又は車両の構造部材、採掘鉱石篩、コンベヤベルト、積層用コンパウンド、ファイバー、編織物、隔膜、シーラント、又は接着剤成分から選択される、請求項２３に記載の製品。
【請求項２５】
請求項１８〜２２のいずれか一項に記載のポリウレタン又はポリウレタン尿素エラストマー系物質で全体的又は部分的に構成される医療器具。
【請求項２６】
前記医療器具が、インプラントである、請求項２５に記載の医療器具。
【請求項２７】
前記医療器具が、心ペースメーカー、除細動器、カテーテル、心臓弁、心臓補助装置、血管グラフト又は埋植可能なプロテーゼからなる群から選ばれる、請求項２５又は２６に記載の医療器具。
【請求項２８】
前記医療器具が、カニューレ、体外装置、人工臓器、ペースメーカーリード線、除細動器リード線、血液ポンプ、バルーンポンプ、Ａ−Ｖシャント、バイオセンサー、細胞封入のためのメンブレン、薬物送達装置、創傷包帯、人工関節、整形外科用インプラント、及び軟組織代用品からなる群から選ばれる、請求項２５〜２７のいずれか一項に記載の医療器具。
【請求項２９】
患者にインプラント可能なバルブであって、当該バルブが、以下の：
・複数のバルブリーフレット；及び
・サポート構造
を含み、ここで１又は複数のバルブリーフレットが、請求項１８〜２２のいずれか一項に記載のポリウレタン又はポリウレタン尿素エラストマー物質から全体的に又は部分的に構成される、前記バルブ。
【請求項３０】
請求項１〜１７のいずれか一項に記載の式１の共重合体セグメントの調製方法であって、当該方法が、
ｉ．  少なくとも１種のマクロジオール；又は
ｉｉ．  少なくとも１種のマクロジアミン；又は
ｉｉｉ．  少なくとも１種のマクロジオールと少なくとも１種のマクロジアミンの混合物
を、二価の連結化合物と一緒にする工程を含む、前記方法。
【請求項３１】
前記二価の化合物が、ジイソシアナートである、請求項３０に記載の方法。
【請求項３２】
請求項１〜１７のいずれか一項に記載の式１の共重合体セグメントを含む、熱可塑性ポリウレタン又はポリウレタン尿素エラストマー物質の調製方法であって、この方法：
ｉ．  請求項１〜１７のいずれか一項記載の式１の共重合体セグメントを提供するか、又は請求項３０もしくは３１に記載の方法を使用し、式１の共重合体セグメントを調製する工程；
ｉｉ．  任意に、工程ｉの物質を、二価の化合物、及び；少なくとも１種のマクロジオール；少なくとも１種のマクロジアミン；又は、少なくとも１種のマクロジオールと少なくとも１種のマクロジアミンの混合物と反応させる工程；並びに
ｉｉｉ．  工程ｉ、又は工程ｉｉの共重合体セグメントを、鎖延長剤又は鎖延長剤の混合物と反応させ、ポリウレタン又はポリウレタン尿素エラストマーを形成する工程：を含む、方法。
【請求項３３】
１又は複数のバルブリーフレットが、請求項１８に記載のポリウレタン又はポリウレタン尿素エラストマー物質から全体的に又は部分的に構成され、ここで
ｔは、０であり；
Ｑは、ポリ（ヘキサメチレンオキシド）であり；
Ｌ2は、ウレタンを含み；
Ｙ2は、ポリ（ヘキサメチレンオキシド）であり；
場合により追加のポリオール又はポリアミンが、以下の：
ω−ビス−（６‐ヒドロキシエトキシプロピル）ポリジメチル−シロキサンを含み；
複数の硬セグメントが、二価の架橋基を介して、軟セグメントに共有結合する鎖延長剤を含み；及び
前記鎖延長剤が、１，２−エチレンジアミン及び１，３−ビス−（４−ヒドロキシブチル）−１，１，３，３−テトラメチルジシロキサンを含む、請求項２９に記載のバルブ。
【請求項３４】
１又は複数のバルブリーフレットが、請求項２０に記載のポリウレタン又はポリウレタン尿素エラストマー物質から全体的に又は部分的に構成され、ここで
ｔは、０であり；
Ｑは、ポリ（ヘキサメチレンオキシド）であり；
Ｌ2は、ウレタンを含み；
Ｙ2は、ポリ（ヘキサメチレンオキシド）であり；
場合により追加のポリオール又はポリアミンが、以下の：
α,ω−ビス−（６‐ヒドロキシエトキシプロピル）ポリジメチル−シロキサンを含み；
前記ジイソシアネートが、ＭＤＩであり；そして
前記鎖延長剤が、１，２−エチレンジアミン及び１，３−ビス−（４−ヒドロキシブチル）−１，１，３，３−テトラメチルジシロキサンを含む、請求項２９に記載のバルブ。